(57)【要約】      （修正有）【課題】各種のシート状の資材を製造して市場に供給するにあたり、所定形状に切り揃えられた当該資材の切断された部位及びその近傍に付着する切り屑を効率よく取り除くための切り屑除去装置を提供する。【解決手段】シート状の資材を所定形状に切り揃えるとともに、切断された部位が側面に並ぶようにして束ねられた結束体７を搬送する搬送手段２，３，５，６と、搬送手段２，３，５，６によって搬送されてきた結束体７が、真空吸引装置に接続された複数の吸引ブロック１０ａ，１０ｂ，１０ｃ，１０ｄに囲まれて形成された空間に位置したときに、結束体７から切り屑を吸引して取り除く除去装置本体４とを備える。【選択図】図１０
2015016629.tif 000002
【特許請求の範囲】
【請求項１】
シート状の資材を所定形状に切り揃えるとともに、切断された部位が側面に並ぶようにして束ねられた結束体を搬送する搬送手段と、
前記搬送手段によって搬送されてきた前記結束体が、真空吸引装置に接続された複数の吸引ブロックに囲まれて形成された空間に位置したときに、前記結束体から切り屑を吸引して取り除く除去装置本体とを備えることを特徴とする切り屑除去装置。
【請求項２】
吸引面を内側にして配列された四つの吸引ブロックを備え、
対向する吸引ブロックが互いに接離する際に、一方の吸引ブロックに対して時計回り上手又は下手に位置して隣り合う吸引ブロックが、当該一方の吸引ブロックの動きに伴って同じ方向に移動し、他方の吸引ブロックに対して時計回り上手又は下手に位置して隣り合う吸引ブロックが、当該他の吸引ブロックの動きに伴って同じ方向に移動するという規則性をもって、
前記吸引ブロックに囲まれて形成される空間が拡縮する請求項１に記載の切り屑除去装置。
【請求項３】
前記搬送手段が、前記除去装置本体の下方に設置された昇降機を備えるとともに、
前記吸引ブロックに囲まれて形成される空間の中央に前記昇降機が位置するように、当該空間が拡縮する請求項２に記載の切り屑除去装置。
【請求項４】
前記吸引ブロックの吸引面の下端側の所定の部位に張り出し部を設けた請求項３に記載の切り屑除去装置。
【発明の詳細な説明】
【技術分野】
【０００１】
本発明は、所定形状に切り揃えられたシート状の資材の切断された部位及びその近傍に付着する切り屑を効率よく取り除くための切り屑除去装置に関する。
【背景技術】
【０００２】
従来、中空状に膨出する多数の突起が形成されたキャップフィルムに、突起内に空気を封入するバックフィルムを積層することによって形成された、独立した多数の気泡を有する気泡シートが、包装用の緩衝材をはじめとする各種の用途に広く利用されている。
【０００３】
このような気泡シートは、例えば、多数のキャビティ孔が設けられた成形ロールの外周面に、溶融状態にある樹脂製のフィルム材を接触させて中空状に膨出する突起を真空成形した後に、成形された突起の開口部を封止するバックフィルムを積層するなどして製造することができる（特許文献１など参照）。そして、このようにして製造される気泡シートは、長手方向に沿って両端縁の不要部位を切断して取り除いた上で、得られた原反をロール状に巻き取るか、又は一定の長さで切断して所定形状に切り揃えたものを束ねるなどして市場に供給される。
【先行技術文献】
【特許文献】
【０００４】
【特許文献１】特開平１１−２１６７７０号公報
【発明の概要】
【発明が解決しようとする課題】
【０００５】
ところで、上記のようにして気泡シートを切断する際に生じる切り屑が、気泡シートに付着したままになっているのは好ましくない。このため、その切断部位及びその近傍に付着する切り屑を効率よく除去することが望まれている。
【０００６】
本発明は、上記の事情に鑑みてなされたものであり、気泡シートのようなシート状の資材を製造して市場に供給するにあたり、所定形状に切り揃えられた当該資材の切断された部位及びその近傍に付着する切り屑を効率よく取り除くための切り屑除去装置の提供を目的とする。
【課題を解決するための手段】
【０００７】
本発明に係る他の切り屑除去装置は、シート状の資材を所定形状に切り揃えるとともに、切断された部位が側面に並ぶようにして束ねられた結束体を搬送する搬送手段と、前記搬送手段によって搬送されてきた前記結束体が、真空吸引装置に接続された複数の吸引ブロックに囲まれて形成された空間に位置したときに、前記結束体から切り屑を吸引して取り除く除去装置本体とを備える構成としてある。
【発明の効果】
【０００８】
本発明によれば、シート状の資材を所定形状に切り揃える際に生じる切り屑を効率よく取り除くことができる。
【図面の簡単な説明】
【０００９】
【図１】本発明に係る切り屑除去装置の実施形態の概略を示す説明図である。
【図２】図１のＡ−Ａ矢視方向から支持基板をみた平面図である。
【図３】（ａ）は図２の要部拡大図、（ｂ）は（ａ）のＢ−Ｂ断面図、（ｃ）は（ａ）のＣ−Ｃ断面図である。
【図４】支持基板の動きを説明する説明図である。
【図５】支持基板の動きを説明する説明図である。
【図６】支持基板の間隔を調整した例を示す説明図である。
【図７】吸引ブロックの配列を示す説明図である。
【図８】本発明に係る切り屑除去装置の実施形態を用いて切り屑を取り除く工程を示す説明図である。
【図９】本発明に係る切り屑除去装置の実施形態を用いて切り屑を取り除く工程を示す説明図である。
【図１０】本発明に係る切り屑除去装置の実施形態を用いて切り屑を取り除く工程を示す説明図である。
【図１１】本発明に係る切り屑除去装置の実施形態を用いて切り屑を取り除く工程を示す説明図である。
【図１２】本発明に係る切り屑除去装置の実施形態を用いて切り屑を取り除く工程を示す説明図である。
【発明を実施するための形態】
【００１０】
以下、本発明の好ましい実施形態について、図面を参照しつつ説明する。
図１は、本実施形態に係る切り屑除去装置の概略を示す説明図である。図１に示す切り屑除去装置１は、コンベアー２、昇降機３、除去装置本体４、搬出機５、搬出ガイド６を備えており、これらは図示しないフレームに取り付けられている。
なお、本実施形態にあっては、コンベアー２、昇降機３、搬出機５、搬出ガイド６が搬送手段に相当する。
【００１１】
切り屑除去装置１は、シート状の資材を方形状などの所定の形状に切り揃えた際に、その切断された部位及びその近傍に付着する切り屑を取り除くためのものである。
本実施形態において、所定の形状に切り揃えられた資材は、切断された部位が側面に並ぶようにして束ねられた結束体７としてコンベアー２から搬入され（後述する図９参照）、昇降機３によって除去装置本体４まで搬送される（後述する図１０参照）。そして、除去装置本体４において、切り屑が吸引されて取り除かれる。
【００１２】
除去装置本体４は、四つの吸引ブロック１０ａ，１０ｂ，１０ｃ，１０ｄを備えている（後述する図７参照）。特に図示しないが、吸引ブロック１０ａ，１０ｂ，１０ｃ，１０ｄは、一面が開口する中空の箱状とされた筐体に、ダクトホースを介して真空吸引装置が接続されている。
除去装置本体４に搬送されてきた結束体７が、これらの吸引ブロック１０ａ，１０ｂ，１０ｃ，１０ｄに囲まれてできた空間に位置したときに、真空吸引装置が駆動されて切り屑の吸引がなされる。
【００１３】
吸引ブロック１０ａ，１０ｂ，１０ｃ，１０ｄの開口する面は、切り屑を吸引する吸引面１５ａ，１５ｂ，１５ｃ，１５ｄとなる面であり、この吸引面１５ａ，１５ｂ，１５ｃ，１５ｄが内側になるように吸引ブロック１０ａ，１０ｂ，１０ｃ，１０ｄが配列される。
また、この吸引面１５ａ，１５ｂ，１５ｃ，１５ｄには、金網状の部材や、パンチングメタルと称されるような多数の孔が穿設された部材を取り付けておくことにより、結束体７から切り屑を吸引して取り除く際に、結束体７が吸引ブロック１０ａ，１０ｂ，１０ｃ，１０ｄ内に引き込まれないようにすることができる。吸引ブロック１０ａ，１０ｂ，１０ｃ，１０ｄは、中空状としたままでもよいが、多数の吸引孔を穿設した配管を内部に配設するようにしてもよい。吸引面１５ａ，１５ｂ，１５ｃ，１５ｄから切り屑を吸引できるようになっていれば、吸引ブロック１０ａ，１０ｂ，１０ｃ，１０ｄの具体的な構成は問わない。
【００１４】
このようにして、結束体７から切り屑を吸引して取り除くに際し、その吸引効率を高めるには、結束体７が、可能な限り吸引ブロック１０ａ，１０ｂ，１０ｃ，１０ｄの吸引面１５ａ，１５ｂ，１５ｃ，１５ｄに近接しているのが好ましい。このため、本実施形態では、切り揃えられた資材の形状や大きさに応じて、吸引ブロック１０ａ，１０ｂ，１０ｃ，１０ｄの配置を変更できるようにしているが、その具体的な構成を以下に説明する。
【００１５】
吸引ブロック１０ａ，１０ｂ，１０ｃ，１０ｄは、支柱１１ａ，１１ｂ，１１ｃ，１１ｄを介して支持基板１２ａ，１２ｂ，１２ｃ，１２ｄに取り付けられている。支持基板１２ａ，１２ｂ，１２ｃ，１２ｄは、図２に示すような配列で、直交する二方向に移動可能に設置されている。それぞれの支持基板１２ａ，１２ｂ，１２ｃ，１２ｄを直交する二方向に移動可能とするには、ＸＹ軸ステージなどを利用すればよい。
【００１６】
ここで、図２は、図１のＡ−Ａ矢視方向から支持基板１２ａ，１２ｂ，１２ｃ，１２ｄをみた平面図である。
また、図２において一点鎖線で囲む部分を図３（ａ）に拡大して示すとともに、図３（ａ）のＢ−Ｂ断面図を図３（ｂ）に示し、図３（ａ）のＣ−Ｃ断面図を図３（ｃ）に示す。
【００１７】
それぞれの支持基板１２ａ，１２ｂ，１２ｃ，１２ｄには、連結ガイドレール１４ａ，１４ｂ，１４ｃ，１４ｄと、この連結ガイドレール１４ａ，１４ｂ，１４ｃ，１４ｄに係合する突部を有する連結部材１３ａ，１３ｂ，１３ｃ，１３ｄが取り付けられている。
図２などに示すように、連結ガイドレール１４ａ，１４ｂ，１４ｃ，１４ｄは、支持基板１２ａ，１２ｂ，１２ｃ，１２ｄの一辺に沿って取り付けられており、連結部材１３ａ，１３ｂ，１３ｃ，１３ｄは、連結ガイドレール１４ａ，１４ｂ，１４ｃ，１４ｄの一端側に取り付けられている。そして、時計回り（ＣＷ）下手に位置する支持基板に取り付けられた連結部材が、時計回り上手に位置して隣り合う支持基板に取り付けられた連結ガイドレールに係合されている。具体的には、支持基板１２ａに取り付けられた連結部材１３ａが、支持基板１２ｂに取り付けられた連結ガイドレール１４ｂに係合され、支持基板１２ｂに取り付けられた連結部材１３ｂが、支持基板１２ｃに取り付けられた連結ガイドレール１４ｃに係合され、支持基板１２ｃに取り付けられた連結部材１３ｃが、支持基板１２ｄに取り付けられた連結ガイドレール１４ｄに係合され、支持基板１２ｄに取り付けられた連結部材１３ｄが、支持基板１２ａに取り付けられた連結ガイドレール１４ａに係合されている。
【００１８】
このような構成とすることで、図４に示すように、対向する支持基板１２ａと支持基板１２ｃとが互いに接離する方向に移動すると、一方の支持基板１２ａに対して時計回り下手に位置して隣り合う支持基板１２ｄが、当該一方の支持基板１２ａの動きに伴って同じ方向に移動し、他方の支持基板１２ｃに対して時計回り下手に位置して隣り合う支持基板１２ｂが、当該他方の支持基板１２ｃの動きに伴って同じ方向に移動するようになっている。
その結果、対向する吸引ブロック１０ａと吸引ブロック１０ｃとが互いに接離する際に、一方の吸引ブロック１０ａに対して時計回り下手に位置して隣り合う吸引ブロック１０ｄが、当該一方の吸引ブロック１０ａの動きに伴って同じ方向に移動し、他方の吸引ブロック１０ｃに対して時計回り下手に位置して隣り合う吸引ブロック１０ｂが、当該他の吸引ブロック１０ｃの動きに伴って同じ方向に移動することになる。
【００１９】
さらに、図５に示すように、対向する支持基板１２ｂと支持基板１２ｄとが互いに接離する方向に移動すると、一方の支持基板１２ｂに対して時計回り下手に位置して隣り合う支持基板１２ａが、当該一方の支持基板１２ｂの動きに伴って同じ方向に移動し、他方の支持基板１２ｄに対して時計回り下手に位置して隣り合う支持基板１２ｃが、当該他方の支持基板１２ｄの動きに伴って同じ方向に移動するようになっている。
その結果、対向する吸引ブロック１０ｂと吸引ブロック１０ｄとが互いに接離する際に、一方の吸引ブロック１０ｂに対して時計回り下手に位置して隣り合う吸引ブロック１０ａが、当該一方の吸引ブロック１０ｂの動きに伴って同じ方向に移動し、他方の吸引ブロック１０ｄに対して時計回り下手に位置して隣り合う吸引ブロック１０ｃが、当該他の吸引ブロック１０ｄの動きに伴って同じ方向に移動することになる。
【００２０】
そして、これらの動きを組み合わせることによって、支持基板１２ａと支持基板１２ｃとの間隔と、支持基板１２ｂと支持基板１２ｄとの間隔を適宜調整することが可能となり、これによって、切り揃えられた資材の形状や大きさに応じて、吸引ブロック１０ａ，１０ｂ，１０ｃ，１０ｄの配列を変更することができる。このとき、対向する吸引ブロックが互いに接離する際に、一方の吸引ブロックに対して時計回り上手又は下手（図示する例では下手）に位置して隣り合う吸引ブロックが、当該一方の吸引ブロックの動きに伴って同じ方向に移動し、他方の吸引ブロックに対して時計回り上手又は下手（図示する例では下手）に位置して隣り合う吸引ブロックが、当該他の吸引ブロックの動きに伴って同じ方向に移動するという規則性をもって、吸引ブロック１０ａ，１０ｂ，１０ｃ，１０ｄに囲まれて形成される空間が拡縮するように吸引ブロック１０ａ，１０ｂ，１０ｃ，１０ｄの配列を変更することができる。
【００２１】
なお、支持基板１２ａ，１２ｂ，１２ｃ，１２ｄに取り付けられた連結ガイドレール１４ａ，１４ｂ，１４ｃ，１４ｄと連結部材１３ａ，１３ｂ，１３ｃ，１３ｄとを係合させるにあたり、時計回り上手に位置する支持基板に取り付けられた連結部材が、時計回り下手に位置して隣り合う支持基板に取り付けられた連結ガイドレールに係合させれば、対向する吸引ブロックが互いに接離する際に、一方の吸引ブロックに対して時計回り上手に位置して隣り合う吸引ブロックが、当該一方の吸引ブロックの動きに伴って同じ方向に移動し、他方の吸引ブロックに対して時計回り上手に位置して隣り合う吸引ブロックが、当該他の吸引ブロックの動きに伴って同じ方向に移動するという規則性をもって、吸引ブロック１０ａ，１０ｂ，１０ｃ，１０ｄに囲まれて形成される空間が拡縮することになる。
【００２２】
ここで、図４及び図５は、支持基板１２ａ，１２ｂ，１２ｃ，１２ｄの動きを説明する説明図である。図６は、支持基板１２ａと支持基板１２ｃとの間隔と、支持基板１２ｂと支持基板１２ｄとの間隔を調整した例を示す説明図である。
また、図７（ａ）は、支持基板１２ａと支持基板１２ｃとの間隔と、支持基板１２ｂと支持基板１２ｄとの間隔が、最も離れた状態における吸引ブロック１０ａ，１０ｂ，１０ｃ，１０ｄの配列を示す説明図であり、このときの支持基板１２ａ，１２ｂ，１２ｃ，１２ｄの配列が図２に示す例に相当する。図７（ｂ）は、支持基板１２ａと支持基板１２ｃとの間隔と、支持基板１２ｂと支持基板１２ｄとの間隔を図６に示すように調整し、これによって、切り揃えられた資材の形状や大きさに応じて、吸引ブロック１０ａ，１０ｂ，１０ｃ，１０ｄの配列が変更された例を示す説明図であり、このときの支持基板１２ａ，１２ｂ，１２ｃ，１２ｄの配列が図６に示す例に相当する。
なお、支持基板１２ａと支持基板１２ｃとの間隔と、支持基板１２ｂと支持基板１２ｄとの間隔を調整する際に、これらの干渉を避けるために、支持基板１２ａ，１２ｃを設置する位置と、支持基板１２ｂ，１２ｄを設置する位置を鉛直方向にずらしている（図１など参照）。
【００２３】
また、上記したようにして吸引ブロック１０ａ，１０ｂ，１０ｃ，１０ｄに囲まれて形成される空間を拡縮するにあたっては、昇降機３によって結束体７を搬送する際に、結束体７が当該空間内に入り難くならないようにするのが好ましい。このためには、吸引ブロック１０ａ，１０ｂ，１０ｃ，１０ｄの配列を変更する際に、常に、昇降機３が当該空間の中央に位置するようになっているのが好ましい。
【００２４】
さらに、吸引ブロック１０ａ，１０ｂ，１０ｃ，１０ｄの吸引面１５ａ，１５ｂ，１５ｃ，１５ｄの下端側の所定の部位には、図７に示すように、可撓性素材からなる張り出し部１６ａ，１６ｂ，１６ｃ，１６ｄを、水平に張り出すように設けておくのが好ましい。このような張り出し部１６ａ，１６ｂ，１６ｃ，１６ｄを設けておくことで、吸引ブロック１０ａ，１０ｂ，１０ｃ，１０ｄに囲まれて形成される空間内に結束体７を入れる際に、張り出し部１６ａ，１６ｂ，１６ｃ，１６ｄが結束体７の側面に引っかかり、これによって切り屑をはたき落とす効果が期待できる。
【００２５】
このような切り屑除去装置１によれば、次のようにして、シート状の資材を所定形状に切り揃える際に生じる切り屑を効率よく取り除くことができる。
なお、図８〜図１２は、本実施形態に係る切り屑除去装置を用いて切り屑を取り除く工程を示す説明図である。
【００２６】
まず、所定形状に切り揃えられて結束体７として束ねられた資材の形状や大きさに応じて、図８に示すように、支持基板１２ａと支持基板１２ｃとの間隔と、支持基板１２ｂと支持基板１２ｄとの間隔を適宜調整し、吸引ブロック１０ａ，１０ｂ，１０ｃ，１０ｄの配列を変更する。
このときの図８のＤ−Ｄ矢視方向からみた支持基板１２ａ，１２ｂ，１２ｃ，１２ｄの配列が図６に示す例に相当し、吸引ブロック１０ａ，１０ｂ，１０ｃ，１０ｄの配列が図７（ｂ）に示す例に相当する。
【００２７】
次に、図９に示すように、コンベアー２から結束体７を搬入する。そして、結束体７が昇降機３に到達すると、図１０に示すように、昇降機３が上昇して結束体７を除去装置本体４まで搬送する。続いて、図１０に示す状態のまま、図示しない真空吸引装置を駆動して、結束体７の側面に並ぶ各資材の切断部位及びその近傍に付着する切り屑を吸引して取り除く。
【００２８】
その後、図１１に示すように昇降機３を上動させて結束体７を搬出位置まで搬送し、次いで、図１２に示すように搬出機５によって結束体７を押し出して、搬出ガイド６に受けた結束体７を取り出す。
【００２９】
以上、本発明について、好ましい実施形態を示して説明したが、本発明は、前述した実施形態にのみ限定されるものではなく、本発明の範囲で種々の変更実施が可能であることは言うまでもない。
【産業上の利用可能性】
【００３０】
本発明は、シート状の各種の資材を所定形状に切り揃える際に生じる切り屑を除去するために種々の技術分野で利用することができる。
【符号の説明】
【００３１】
１          切り屑除去装置
２          コンベアー（搬送手段）
３          昇降機（搬送手段）
４          除去装置本体
５          搬出機（搬送手段）
６          搬出ガイド（搬送手段）
７          結束体
１０ａ，１０ｂ，１０ｃ，１０ｄ          吸引ブロック
１６ａ，１６ｂ，１６ｃ，１６ｄ          張り出し部
【図１】
2015016629.tif 000003
【図２】
2015016629.tif 000004
【図３】
2015016629.tif 000005
【図４】
2015016629.tif 000006
【図５】
2015016629.tif 000007
【図６】
2015016629.tif 000008
【図７】
2015016629.tif 000009
【図８】
2015016629.tif 000010
【図９】
2015016629.tif 000011
【図１０】
2015016629.tif 000012
【図１１】
2015016629.tif 000013
【図１２】
2015016629.tif 000014